(57)【要約】【課題】  キャップやワイパーブレードを上下動させるカム軸の回転を検知する場合の検知精度が十分でない。【解決手段】  保湿用キャップ１２２及び吸引用キャップ１２３、ワイパーブレード１２４を上下動させるカム２１３Ａ〜２１３Ｄを備えたカム軸２１２に検知板２５１を直接取り付け、検知板２５１の一部を維持回復装置１２１のフレーム２１１の一部２１１ａから外側に出し、フレーム２１１の一部２１１ａの外側に検知板２５１のスリット２５２を検知するホーム位置センサ２５５を設け、カム軸２１２の回転を直接検知する。【選択図】  図７
2005349781.tif 000002
【特許請求の範囲】
【請求項１】
ノズルから記録液の液滴を吐出する記録ヘッドと、この記録ヘッドのノズル面をキャッピングするキャップ部材及び／又はノズル面をワイピングするブレードをカム軸の回転により動作させるヘッド維持回復装置とを備える画像形成装置において、前記カム軸の回転を直接検知する手段を備えていることを特徴とする画像形成装置。
【請求項２】
請求項１に記載の画像形成装置において、前記カム軸に検知板が直接取付けられ、この検知板の回転を検知する検知手段を備えていることを特徴とする画像形成装置。
【請求項３】
請求項２に記載の画像形成装置において、前記カム軸に検知板が一体形成されていることを特徴とする画像形成装置。
【請求項４】
請求項２又は３に記載の画像形成装置において、前記検知板の周囲を覆うカバーが設けられていることを特徴とする画像形成装置。
【請求項５】
請求項２ないし４のいずれかに記載の画像形成装置において、前記検知板の一部が前記キャップ部材及び／又はブレードを収納するフレームの外側に出ており、前記検知手段は前記フレームの外側に設けられていることを特徴とする画像形成装置。
【発明の詳細な説明】
【技術分野】
【０００１】
本発明は画像形成装置に関し、記録液を吐出する記録ヘッドを備えて被記録媒体に画像を形成する画像形成装置に関する。
【背景技術】
【０００２】
プリンタ、ファクシミリ、複写装置、プロッタ等の各種画像形成装置として用いられるインクジェット記録装置は、液体である記録液（例えばインク）を微細なノズルから吐出させる液滴吐出ヘッドを搭載して被記録媒体（用紙、記録紙、転写紙、記録媒体などとも称される。）に画像を形成（記録）するものである。
【０００３】
ところで、インクジェット記録装置においては、微細な吐出口からインク滴を吐出させることから、乾燥によるインクの増粘や固着、あるいはインク中に生じる気泡などに起因して、吐出口に目詰まりが発生し、吐出不良になることがある。そこで、このような吐出不良を防止するために、インク吐出機能を正常な状態に維持回復するためのヘッド維持回復装置が設けられている。
【０００４】
このような維持回復装置による回復方法としては、例えば、記録中に吐出口内に発生した気泡などで吐出不良になると、加圧手段などでインクを記録ヘッド内に充填させて吐出口を回復させる保守回復方法、吐出口内でのインクの自然蒸発によるインクの増粘固着に備えて予備吐出（空吐出）を行う保守回復方法、吐出口面に付着したインク滴やほこりなどを拭き取りワイピングする保守回復方法などの一つ又は二つ以上を適宜組み合わせたものが用いられている。
【０００５】
このような維持回復装置として、ヘッドのノズル面をキャッピングするキャップ部材、ヘッドのノズル面をワイピングするブレード（ワイパー、ワイパーブレード、ブレード部材などとも称する。）などをカム軸の回転によって上下動させるようにしたものが知られている。
【特許文献１】特開平１１−１３８８３２号公報
【特許文献２】特開２００２−１３７４０７号公報
【特許文献３】特開平５−１７７８４２号公報
【発明の開示】
【発明が解決しようとする課題】
【０００６】
上述したような画像形成装置の維持回復装置にあっては、ホーム位置を定めるなどのためにキャップ部材やブレードを上下動させるためのカムを備えたカム軸の位置を検知する必要があることから、カム軸の回転によって揺動されるレバーと、このレバーの揺動位置を検知するフォトセンサなどの検知手段を備えて、間接的にカム軸の回転を検知するようにするのが一般的である。
【０００７】
しかしながら、カム軸の回転を一旦レバーなどの変位部材の変位に変換して、この変位部材の変位を検知する構成では、検知精度が十分に出ないという課題がある。
【０００８】
本発明は上記の課題に鑑みてなされたものであり、維持回復装置のカム軸の検知精度を向上した画像形成装置を提供することを目的とする。
【課題を解決するための手段】
【０００９】
上記の課題を解決するため、本発明に係る画像形成装置は、キャップ部材及び／又はブレードを動作させるカム軸の回転を直接検知する手段を備えている構成とした。
【００１０】
ここで、カム軸に検知板が直接取付けられ、この検知板の回転を検知する検知手段を備えている構成とすることができる。この場合、カム軸に検知板が一体形成されていることが好ましい。また、検知板の周囲を覆うカバーが設けられていることが好ましい。さらに、検知板の一部がキャップ部材及び／又はブレードを収納するフレームの外側に出ており、検知手段はフレームの外側に設けられていることが好ましい。
【発明の効果】
【００１１】
本発明に係る画像形成装置によれば、キャップ部材及び／又はブレードを動作させるカム軸の回転を直接検知する手段を備えているので、検知精度が向上する。
【発明を実施するための最良の形態】
【００１２】
以下、本発明の実施の形態について添付図面を参照して説明する。本発明に係る画像形成装置の一例について図１及び図２を参照して説明する。なお、図１は同画像形成装置の全体構成を示す概略構成図、図２は同装置の画像形成部及び副走査搬送部の平面説明図である。
【００１３】
この画像形成装置は、装置本体１の内部（筺体内）に、画像を形成するための画像形成部（手段）２、副走査搬送部（手段）３等を有し、装置本体１の底部に設けた給紙部（手段）４から被記録媒体（以下「用紙」というが、材質を紙に限定するものではない。）５を１枚ずつ分離して給紙し、副走査搬送部３によって用紙５を画像形成部２に対向する位置で間歇的に搬送しながら、画像形成部２によって用紙５に液滴を吐出して所要の画像を形成（記録）した後、排紙搬送部６を通じて装置本体１の上面に形成した排紙トレイ７上に用紙５を排紙する。
【００１４】
また、この画像形成装置は、画像形成部２で形成する画像データ（印刷データ）の入力系として、装置本体１の上部で排紙トレイ７の上方には画像を読み取るための画像読取部（スキャナ部）１１を備えている。この画像読取部１１は、照明光源１３とミラー１４とを含む走査光学系１５と、ミラー１６、１７を含む走査光学系１８とが移動して、コンタクトガラス１２上に載置された原稿の画像の読み取りを行い、走査された原稿画像がレンズ１９の後方に配置した画像読み取り素子２０で画像信号として読み込まれ、読み込まれた画像信号はデジタル化され画像処理され、画像処理した印刷データを印刷することができる。なお、コンタクトガラス１２上には原稿を押えるための圧板１０を備えている。
【００１５】
さらに、この画像形成装置は、画像形成部２で形成する画像データ（印刷データ）の入力系として、外部のパーソナルコンピュータ等の情報処理装置、イメージスキャナなどの画像読取り装置、デジタルカメラなどの撮像装置などのホスト側からの画像データを含む印刷データ等をケーブル或いはネットワークを介して受信可能であり、受信した印刷データを処理して印刷することができる。
【００１６】
ここで、この画像形成装置の画像形成部２は、図２にも示すように、キャリッジガイド２１及び図示しないガイドステーでキャリッジ２３を主走査方向に移動可能に保持し、主走査モータ２７で駆動プーリ２８ａと従動プーリ２８ｂ間に架け渡したタイミングベルト２９を介して主走査方向に移動走査する。
【００１７】
そして、このキャリッジ２３上に、それぞれの色の液滴を吐出する液滴吐出ヘッドからなる記録ヘッド２４を搭載し、キャリッジ２３を主走査方向に移動させ、副走査搬送部３によって用紙５を用紙搬送方向（副走査方向）に送りながら記録ヘッド２４から液滴を吐出させて画像形成を行うシャトル型としている。
【００１８】
記録ヘッド２４は、それぞれブラック（Ｂｋ）インクを吐出する２個の液滴吐出ヘッド２４ｋ１、２４ｋ２と、シアン（Ｃ）インク、マゼンタ（Ｍ）インク、イエロー（Ｙ）インクを吐出するそれぞれ１個の液滴吐出ヘッド２４ｃ、２４ｍ、２４ｙの計５個の液滴吐出ヘッド（以下単に「ヘッド」という。）で構成され、キャリッジ２３に搭載した各サブタンク２５からそれぞれ各色のインクが供給される。
【００１９】
一方、図１に示すように、装置本体１の前面からカートリッジ装着部２６Ａに、ブラック（Ｋ）インク、シアン（Ｃ）インク、マゼンタ（Ｍ）インク、イエロー（Ｙ）インクをそれぞれ収容した記録液カートリッジである各色のインクカートリッジ２６を着脱自在に装着でき、各色のインクカートリッジ２６から各色のサブタンク２５にインクを供給する。なお、ブラックインクは１つのインクカートリッジ２６から２つのサブタンク２５に供給する構成としている。
【００２０】
なお、記録ヘッド２４としては、インク流路内（圧力発生室）のインクを加圧する圧力発生手段（アクチュエータ手段）として圧電素子を用いてインク流路の壁面を形成する振動板を変形させてインク流路内容積を変化させてインク滴を吐出させるいわゆるピエゾ型のもの、或いは、発熱抵抗体を用いてインク流路内でインクを加熱して気泡を発生させることによる圧力でインク滴を吐出させるいわゆるサーマル型のもの、インク流路の壁面を形成する振動板と電極とを対向配置し、振動板と電極との間に発生させる静電力によって振動板を変形させることで、インク流路内容積を変化させてインク滴を吐出させる静電型のものなどを用いることができる。
【００２１】
また、キャリッジ２３の走査方向一方側の非印字領域には、記録ヘッド２４のノズルの状態を維持し、回復するためのヘッドクリーニング装置を含む維持回復装置１２１を配置している。この維持回復装置１２１は、５個の記録ヘッド２４の各ヘッドのノズル面をキャピングするための５個の保湿用キャップ１２２ｋ２、１２２ｋ１、１２２ｃ、１２２ｍ、１２２ｙ（色を区別しないときは「保湿用キャップ１２２」という。）と、１個の吸引用キャップ１２３と、記録ヘッド２４のノズル面をワイピングするためのワイパーブレード１２４と、空吐出を行うための空吐出受け１２５などを備えている。
【００２２】
副走査搬送部３は、下方から給紙された用紙５を略９０度搬送方向を転換させて画像形成部２に対向させて搬送するための、駆動ローラである搬送ローラ３２と従動ローラ３３間に架け渡した無端状の搬送ベルト３１と、この搬送ベルト３１の表面を帯電させるための図示しない高圧電源から高電圧が印加される帯電ローラ３４と、搬送ベルト３１を画像形成部２の対向する領域でガイドするガイド部材３５と、用紙５を搬送ローラ３２に対向する位置で搬送ベルト３１に押し付ける押さえコロ（加圧コロ）３６と、画像形成部２によって画像が形成された用紙５を排紙搬送部６に送り出すための搬送ローラ３７を備えている。
【００２３】
この副走査搬送部３の搬送ベルト３１は、副走査モータ３８からタイミングベルト３９及びタイミングローラ４０を介して搬送ローラ３２が回転されることで、図２の用紙搬送方向（副走査方向）に周回するように構成している。なお、搬送ベルト３１は、例えば、抵抗制御を行っていない純粋な樹脂材、例えばＥＴＦＥピュア材で形成した用紙吸着面となる表層と、この表層と同材質でカーボンによる抵抗制御を行った裏層（中抵抗層、アース層）との２層構造としている。
【００２４】
また、副走査搬送部３の構成は搬送ベルトに限るものではなく、搬送ローラ（砥石ローラ）と用紙５を画像形成部２に対向する位置で案内する印写受け部材とを用いる構成とすることもできる。
【００２５】
給紙部４は、装置本体１に抜き差し可能で、多数枚の用紙５を積載して収納する給紙カセット４１と、給紙カセット４１内の用紙５を１枚ずつ分離して送り出すための給紙コロ４２及びフリクションパッド４３と、給紙される用紙５を副走査搬送部３に対して搬送する給紙搬送ローラ４４とを有している。給紙コロ４２は図示しない給紙クラッチを介してＨＢ型ステッピングモータからなる給紙モータ（駆動源）４５によって回転され、また給紙搬送ローラ４４も給紙モータ４５によって回転駆動される。
【００２６】
排紙搬送部６は、画像形成が行われた用紙５を搬送する排紙搬送ローラ対６１、６２と、用紙５を排紙トレイ７へ送り出すための排紙搬送ローラ対６３及び排紙ローラ６４とを備えている。
【００２７】
次に、維持回復装置１２１の概要について図３ないし図７を参照して説明する。なお、図３は同維持回復装置を一部展開した状態で示す模式的説明図、図４は同維持回復装置の斜視説明図、図５及び図６は同維持回復装置のキャップ部材を取り外した状態の斜視説明図、図７は同維持回復装置の一部断面正面図である。
【００２８】
この維持回復装置１２１には、前述したように、保湿用キャップ１２２及び吸引用キャップ１２３を保持する保持機構を含むキャップホルダ２２１Ａ〜２２１Ｄ（キャップホルダ２２１Ａ、２２１Ｃは２個の保湿用キャップ１２２を保持する。）と、記録ヘッド２４のノズル面を清浄化する（拭き取る）ための弾性体からなるブレードであるワイパーブレード１２４と、記録ヘッド２４から印字に寄与しない液滴を吐出する空吐出動作を行うための空吐出受け１２５が配置されている。
【００２９】
ここで、印字領域に最も近い側のキャップホルダ２２１Ｄに保持した吸引用キャップ１２３には可撓性チューブ２２２を介して吸引手段であるチュービングポンプ（吸引ポンプ）２２３を接続している。したがって、記録ヘッド２４の維持回復動作を行うときには、回復動作を行う記録ヘッド２４を吸引用キャップ１２３によってキャッピング可能な位置に選択的に移動させる。
【００３０】
また、これらのキャップホルダ２２１Ａ〜２２１Ｄの下方にはフレーム２１１に回転自在に支持したカム軸２１２を配置し、このカム軸２１２には、キャップホルダ２２１Ａ〜２２１Ｄを昇降させるためのキャップカム２１３Ａ〜２１３Ｄと、ワイパーブレード１２４を昇降させるためのワイパーカム２１４をそれぞれ設けている。なお、保湿用キャップ１２２及び吸引用キャップ１２３が上死点に達するカム位置は同じでないが、図３では模式的に、保湿用キャップ１２２及び吸引用キャップ１２３並びにカム２１３Ａ〜２１３Ｄは同じ高さで示している（詳細は図７参照）。
【００３１】
そして、チュービングポンプ２２３及びカム軸２１２を回転駆動するために、モータ２３１の回転をモータ軸２３１ａに設けたモータギヤ２３２に、チュービングポンプ２２３のポンプ軸２２３ａに設けたポンプギヤ２３３を噛み合わせ、更にこのポンプギヤ２３３と一体の中間ギヤ２３４に中間ギヤ２３５を介して一方向クラッチ２３７付きの中間ギヤ２３６を噛み合わせ、この中間ギヤ２３６と同軸の中間ギヤ２３８に中間ギヤ２３９を介してカム軸２１２に固定したカムギヤ２４０を噛み合わせている。
【００３２】
この維持回復装置１２１においては、モータ２３１が正転することによってモータギヤ２３２、中間ギヤ２３３、ポンプギヤ２３４、中間ギヤ２３５、２３６までが回転し、チュービングポンプ２２３の軸２２３ａが回転することでチュービングポンプ２２３が作動して、吸引用キャップ１２３内を吸引する（この動作を「キャップ内吸引」という。）。その他のギヤ２３８以降は一方向クラッチ２３７によって回転が遮断されるので回転（作動）しない。
【００３３】
また、モータ２３１が逆転することによって、一方向クラッチ２３７が連結されるので、モータ２３１の回転が、モータギヤ２３２、中間ギヤ２３３、ポンプギヤ２３４、中間ギヤ２３５、２３６、２３８、２３９を経てカムギヤ２４０に伝達され、カム軸２１２が回転する。このとき、チュービングポンプ２２３はポンプ軸２２３ａの逆転では回転しない構造となっている。
【００３４】
このように、この維持回復装置１２１においては、記録ヘッドのノズル面をキャッピングするキャップの上下動、キャップ内吸引を行うための吸引手段の駆動、ワイパーブレードの上下動を、１つの駆動源であるモータ２３１で回転される回転軸であるカム軸２１２の回転によって行なうようにしているので、維持回復装置の構成が簡単になる。
【００３５】
そこで、このカム軸２１２の回転を検知する手段の構成について図８ないし図１０をも参照して説明する。なお、図８は同検知手段の検知板部分の概略斜視説明図、図９は同検知板の斜視説明図、図１０は同検知手段のカバーの斜視説明図である。
【００３６】
この実施形態では、図３、図６、図７及び図８に示すように、カム軸２１２に検知板（フィラ）２５１を取り付けている。このフィラ２５１には、図９にも示すように、カム軸２１２のホーム位置検知用のスリット２５２を形成している。そして、この維持回復装置１２１のフレーム２１１の一部２１１ａに形成したスリット２５３を介して、フィラ２５１の一部をフレーム２１１の一部２１１ａの外側に出している。この場合、図７に示すように、フレーム２１１の一部２１１ａを装置本体１２１内側に突き出すように形成することで、フィラ２５１の一部がフレーム２１１の一部２１１ａの外側に出るように構成することができる。
【００３７】
そして、このフレーム２１１の一部２１１ａの外側に、フィラ２５１のスリット２５２を検知するためのフォトインタラプタを用いた検知手段であるセンサ（ホーム位置センサ）２５５を配置している。これらのカム軸２１２に設けた検知板２５１とホーム位置センサ２５５によってカム軸２１２の回転を直接検知する手段を構成している。
【００３８】
また、検知板（フィラ２５１）の一部がキャップ部材及び（／又は）ブレードを収納する維持回復装置１２１のフレーム２１１の外側に出ており、検知手段（センサ２５５）はフレーム２１１の外側に設けられていることで、センサ２５５に対して維持回復装置１２１内で維持回復動作に伴って記録液が飛散したような場合、記録液がセンサ２５５に付着することを低減できて、長期にわたり安定した検出を行うことができるようになる。
【００３９】
さらに、図５及び図７示すように、フィラ２５１を覆う図１０に示すような検知板カバー２５６を取り付けている。このように、検知板（フィラ２５１）を覆う検知板カバー２５６を設けることによって、維持回復装置１２１内で維持回復動作に伴って記録液が飛散したような場合に、検知板に記録液が付着してスリットを埋めてしまうようなことを低減できて、長期にわたり安定した検出を行うことができるようになる。
【００４０】
次に、この画像形成装置の制御部の概要について図１１のブロック図を参照して説明する。
この制御部３００は、装置全体の制御を司るＣＰＵ３０１と、ＣＰＵ３０１が実行するプログラム、その他の固定データを格納するＲＯＭ３０２と、画像データ等を一時格納するＲＡＭ３０３と、装置の電源が遮断されている間もデータを保持するための不揮発性メモリ（ＮＶＲＡＭ）３０４と、画像データに対する各種信号処理、並び替え等を行う画像処理やその他装置全体を制御するための入出力信号を処理するＡＳＩＣ３０５とを備えている。
【００４１】
また、この制御部３００は、ホスト側とのデータ、信号の送受を行うためのＩ／Ｆ３０７と、記録ヘッド２４を駆動制御するためのヘッド駆動制御部３０８及びヘッドドライバ３０９と、主走査モータ２７を駆動するための主走査モータ駆動部３１１と、副走査モータ１３１を駆動するための副走査モータ駆動部３１２と、給紙モータ１４１を駆動するための給紙モータ駆動部３１３と、維持回復装置１２１のモータ２３１を駆動するための維持回復系駆動部３１４、その他、図示しないがインク供給系のモータ類及び給紙クラッチなどのクラッチ類を駆動する部分を備えている。
【００４２】
また、この制御部３００には、維持回復装置１２１のセンサ（ホーム位置センサ）２５５などの各種センサからの検知信号などを入力するＩ／Ｏ３１５を備え、この装置に必要な情報の入力及び表示をおこなうための操作パネル３１６が接続されている。
【００４３】
制御部３００は、パーソナルコンピュータ等の情報処理装置、イメージスキャナなどの画像読み取り装置、デジタルカメラなどの撮像装置などのホスト側からの印刷データ等をケーブル或いはネットを介してＩ／Ｆ３０７で受信する。
【００４４】
そして、ＣＰＵ３０１は、Ｉ／Ｆ３０７に含まれる受信バッファ内の印刷データを読み出して解析し、ＡＳＩＣ３０５にて必要な画像処理、データの並び替え処理等を行ってヘッド駆動制御部３０８に画像データを転送する。なお、画像出力するためのドットパターンデータの生成は、例えばＲＯＭ３０２にフォントデータを格納して行っても良いし、ホスト側のプリンタドライバで画像データをビットマップデータに展開してこの装置に転送するようにしても良い。
【００４５】
ヘッド駆動制御部３０８は、記録ヘッド２４の１行分に相当する画像データ（ドットパターンデータ）を受け取ると、この１行分のドットパターンデータを、クロック信号に同期して、ヘッドドライバ３０９にシリアルデータで送出し、また所定のタイミングでラッチ信号をヘッドドライバ３０９に送出する。このヘッド駆動制御部３０８は、駆動波形（駆動信号）のパターンデータを格納したＲＯＭ（ＲＯＭ３０２で構成することもできる。）と、このＲＯＭから読出される駆動波形のデータをＤ／Ａ変換するＤ／Ａ変換器を含む波形生成回路及びアンプ等で構成される駆動波形発生回路を含む。
【００４６】
また、ヘッドドライバ３０９は、ヘッド駆動制御部３０８からのクロック信号及び画像データであるシリアルデータを入力するシフトレジスタと、シフトレジスタのレジスト値をヘッド駆動制御部３０８からのラッチ信号でラッチするラッチ回路と、ラッチ回路の出力値をレベル変化するレベル変換回路（レベルシフタ）と、このレベルシフタでオン／オフが制御されるアナログスイッチアレイ（スイッチ手段）等を含み、アナログスイッチアレイのオン／オフを制御することで駆動波形に含まれる所要の駆動波形を選択的に記録ヘッド２４のアクチュエータ手段に印加してヘッドを駆動する。
【００４７】
次に、このように構成したこの画像形成装置の維持回復動作について図１２をも参照して簡単に説明する。
回復動作を行う記録ヘッド２４を吸引用キャップ１２３の位置にした状態にし、図１１に示すように、時点ｔ１で、同図（ａ）に示すようにモータ２３１を逆転してカム軸２１２を回転させ、吸引用キャップ１２３を上昇させて記録ヘッド２４のノズル面をキャッピングし、同図（ｂ）に示すようにモータ２３１を正転してチュービングポンプ２２３を作動させて記録ヘッド２４のノズルから吸引するノズル吸引工程を行う。
【００４８】
引き続いて、時点ｔ２で、同図（ａ）に示すように、モータ２３１を逆転させることでカム軸２１２を回転させ、これにより、吸引用キャップ１２３を記録ヘッド２４のノズル面から離間させる工程を行う。
【００４９】
この工程に引き続いて、カム軸２１２の回転によって時点ｔ３で、同図（ｃ）に示すようにワイパーブレード１２４がワイピング位置（ノズル面と接触する位置）に上昇し、この状態で同図（ｄ）に示すようにキャリッジ２３を移動させることにより、記録ヘッド２４のノズル面に対してワイパーブレード１２４を相対的に移動させて、ノズル面に残留している記録液を拭きとって清浄化した（ワイピングした）後、カム軸２１２の回転によってワイパーブレード１２４を下降させてノズル面から離間させる工程を行う。
【００５０】
そして、この工程に引き続いて、モータ２３１を正転させて時点ｔ４で、同図（ｂ）に示すようにチュービングポンプ２２３を作動させて吸引用キャップ１２３内の記録液を吸引するキャップ内吸引工程を行う。
【００５１】
このような維持回復動作を行うときに、ホーム位置センサ２５５の検出結果に基づいてカム軸２１２のホーム位置決めを行う。このとき、カム軸２１２に直接設けられた検知板（フィラ）２５１の回転をセンサ２５５で検知することでカム軸２１２を回転を直接検知するので、高精度にカム軸２１２の回転（位置）を検出することができるようになる。
【００５２】
なお、上記実施形態では、カム軸２１２に別部材である検知板２５１を装着した例で説明しているが、カム軸２１２と一体で検知板２５１を形成することによって、部品点数を削減することができ、また、カム軸２１２と検知板２５１との相対移動もなくなって、より検知精度が向上する。
【００５３】
また、上記実施形態においては、本発明をマルチファンクション（ＭＦＰ）の画像形成装置に適用した例で説明したが、プリンタやファクシミリ装置などの他の画像形成装置やインク以外の記録液を用いる画像形成装置にも同様に適用することができる。
【図面の簡単な説明】
【００５４】
【図１】本発明に係る画像形成装置の一例の全体構成を示す概略構成図である。
【図２】同画像形成装置の画像形成部及び副走査搬送の平面説明図である。
【図３】維持回復装置を一部展開した状態で示す模式的説明図である。
【図４】同維持回復装置の斜視説明図である。
【図５】同維持回復装置のキャップ部材を取り外した状態の斜視説明図である。
【図６】同維持回復装置のキャップ部材及び検知板カバーを取り外した状態の斜視説明図である。
【図７】同維持回復装置の一部断面正面図である。
【図８】同維持回復装置の検知手段の検知板部分の概略斜視説明図である。
【図９】同検知板の斜視説明図である。
【図１０】同検知手段の検知板カバーの斜視説明図である。
【図１１】同画像形成装置の制御部の概要を説明するブロック図である。
【図１２】維持回復動作の説明に供するタイミング説明図である。
【符号の説明】
【００５５】
１…装置本体
２…画像形成部
３…副走査搬送部
４…給紙部
５…用紙（被記録媒体）
６…排紙搬送部
７…排紙トレイ
１１…画像読取部
２３…キャリッジ
２４…記録ヘッド
３１…搬送ベルト
１２１…維持回復装置
１２２ｋ１、１２２ｋ２、１２２ｃ、１２２ｍ、１２２ｙ…保湿用キャップ
１２３…吸引用キャップ
１２４…ワイパーブレード
２１１…フレーム
２１２…カム軸
２１３Ａ、２１３Ｂ、２１３Ｃ、２１３Ｄ、２１４…カム
２３１…モータ
２５１…検知板（フィラ）
２５５…ホーム位置センサ
２５６…検知板カバー
【図１】
2005349781.tif 000003
【図２】
2005349781.tif 000004
【図３】
2005349781.tif 000005
【図４】
2005349781.tif 000006
【図５】
2005349781.tif 000007
【図６】
2005349781.tif 000008
【図７】
2005349781.tif 000009
【図８】
2005349781.tif 000010
【図９】
2005349781.tif 000011
【図１０】
2005349781.tif 000012
【図１１】
2005349781.tif 000013
【図１２】
2005349781.tif 000014